(57)【要約】  本開示はランダムアクセス方法及び端末を提供する。当該方法において、ｉ回目のランダムアクセスプロセスにおいて、第１のデータコンテンツにおける第１データを送信することを含み、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である。
2022500929.tif 000002
【特許請求の範囲】
【請求項１】
端末に用いられるランダムアクセス方法であって、
ｉ回目のランダムアクセスプロセスにおいて、第１のデータコンテンツにおける第１データを送信することを含み、
前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である、ことを特徴とするランダムアクセス方法。
【請求項２】
前記第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信することを含む、ことを特徴とする請求項１に記載の方法。
【請求項３】
前記第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信することを含む、ことを特徴とする請求項１に記載の方法。
【請求項４】
前記第１データを含む第２のデータコンテンツを新たに生成した後であって、前記第２のデータコンテンツを送信する前に、
前記第２のデータコンテンツをキャッシュすることをさらに含む、ことを特徴とする請求項３に記載の方法。
【請求項５】
前記第２のデータコンテンツのキャッシュ位置は、前記第１のデータコンテンツのキャッシュ位置と同じであり、または、異なる、ことを特徴とする請求項４に記載の方法。
【請求項６】
前記第２のデータコンテンツを送信することは、
前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信すること、を含むことを特徴とする請求項３〜５のいずれか１項に記載の方法。
【請求項７】
端末に用いられるランダムアクセス方法であって、
二段階ランダムアクセスプロセスにおいて、前記二段階ランダムアクセスプロセスにおける第３のデータコンテンツを生成するとともに、前記第３のデータコンテンツをキャッシュすることを含む、ことを特徴とする方法。
【請求項８】
前記第３のデータコンテンツをキャッシュする後は、
前記第３のデータコンテンツをＨＡＲＱキャッシュに記憶し、ＨＡＲＱプロセスによって送信すること、又は、前記第３のデータコンテンツに対応するプロトコルレイヤのボトムレイヤによって前記第３のデータコンテンツを送信すること、をさらに含むことを特徴とする請求項７に記載の方法。
【請求項９】
ｉ回目のランダムアクセスプロセスにおいて、第１のデータコンテンツにおける第１データを送信するための第１の送信モジュールを備え、
前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である、ことを特徴とする端末。
【請求項１０】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信するために用いられる、ことを特徴とする請求項９に記載の端末。
【請求項１１】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信するために用いられる、ことを特徴とする請求項９に記載の端末。
【請求項１２】
前記第１データを含む第２のデータコンテンツを新たに生成した後であって、前記第２のデータコンテンツを送信する前に、
前記第２のデータコンテンツをキャッシュするためのキャッシュモジュールをさらに備える、ことを特徴とする請求項１１に記載の端末。
【請求項１３】
前記第２のデータコンテンツのキャッシュ位置は、前記第１のデータコンテンツのキャッシュ位置と同じであり、または、異なる、ことを特徴とする請求項１２に記載の端末。
【請求項１４】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成し、前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信するために用いられる、ことを特徴とする請求項１１〜１３のいずれか１項に記載の端末。
【請求項１５】
二段階ランダムアクセスプロセスにおいて、前記二段階ランダムアクセスプロセスにおける第３のデータコンテンツを生成するとともに、前記第３のデータコンテンツをキャッシュするキャッシュモジュールを備える、ことを特徴とする端末。
【請求項１６】
前記第３のデータコンテンツをキャッシュした後、前記第３のデータコンテンツをＨＡＲＱキャッシュに記憶し、ＨＡＲＱプロセスによって送信し、又は、前記第３のデータコンテンツに対応するプロトコルレイヤのボトムレイヤによって前記第３のデータコンテンツを送信するための第２の送信モジュールをさらに備えることを特徴とする請求項１５に記載の端末。
【請求項１７】
プロセッサと、メモリと、前記メモリに記憶されているとともに、前記プロセッサにて運行できるコンピュータプログラムと、を含み、
前記コンピュータプログラムが前記プロセッサによって実行されると、請求項１〜６のいずれか１項に記載のランダムアクセス方法のステップを実現させ、又は、請求項７又は８に記載のランダムアクセス方法のステップを実現させる、ことを特徴とする端末。
【請求項１８】
コンピュータプログラムが記憶されており、前記コンピュータプログラムがプロセッサによって実行されると、請求項１〜６のいずれか１項に記載のランダムアクセス方法のステップを実現させ、又は、請求項７又は８に記載のランダムアクセス方法のステップを実現させる、ことを特徴とするコンピュータ可読記憶媒体。
【発明の詳細な説明】
【技術分野】
【０００１】
本出願は、２０１８年９月１８日に中国で提出された中国特許出願番号Ｎｏ．２０１８１１０８９６９５．Ｘの優先権を主張しており、同出願の内容の全ては、ここに参照として取り込まれる。
本開示の実施例は、通信技術分野に関し、特に、ランダムアクセス方法及び端末に関する。
【背景技術】
【０００２】
現在、ランダムアクセスプロセスには、１つ目のランダムアクセスリクエストメッセージによってユーザデータをネットワーク側機器に送信することができる、二段階ランダムアクセス（２−ｓｔｅｐ  ＲＡＣＨ）プロセスというランダムアクセスプロセスの新しいタイプが導入されている。
【０００３】
しかしながら、ランダムアクセスの成功率が低く、端末がランダムアクセスプロセスの試行を継続的に行う必要があり、且つ端末によって行われた隣接した２回のランダムアクセスプロセスの試行には二段階ランダムアクセスプロセスの試行が含まれた場合、上記隣接した２回のランダムアクセスプロセスの試行間におけるデータ処理方式について、現に関連する解決案がまだない。
【発明の概要】
【発明が解決しようとする課題】
【０００４】
本開示の実施例は、ランダムアクセス方法及び端末を提供することにより、二段階ランダムアクセスプロセスの試行を含む隣接した２回のランダムアクセスプロセスの試行間におけるデータ処理方式に対して、対策を提案している。
【０００５】
本開示は、以下のように実現される。
【課題を解決するための手段】
【０００６】
第１の態様では、本開示の実施例は、
ｉ回目のランダムアクセスプロセスにおいて、第１のデータコンテンツにおける第１データを送信することを含み、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である、ランダムアクセス方法を提供する。
【０００７】
第２の態様では、本開示の実施例は、
二段階ランダムアクセスプロセスにおいて、前記二段階ランダムアクセスプロセスにおける第３のデータコンテンツを生成するとともに、前記第３のデータコンテンツをキャッシュすることを含む、ランダムアクセス方法を提供する。
【０００８】
第３の態様では、本開示の実施例は、さらに、
ｉ回目のランダムアクセスプロセスにおいて、第１のデータコンテンツにおける第１データを送信するための第１の送信モジュールを備え、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である端末を提供する。
【０００９】
第４の態様では、本開示の実施例は、さらに、
二段階ランダムアクセスプロセスにおいて、前記二段階ランダムアクセスプロセスにおける第３のデータコンテンツを生成するとともに、前記第３のデータコンテンツをキャッシュするキャッシュモジュールを備える端末を提供する。
【００１０】
第５の態様では、本開示の実施例は、さらに、プロセッサと、メモリと、前記メモリに記憶されているとともに、前記プロセッサにて運行できるコンピュータプログラムと、を含み、前記コンピュータプログラムが前記プロセッサによって実行されると、上述したランダムアクセス方法のステップを実現させる端末を提供する。
【００１１】
第６の態様では、本開示の実施例は、さらに、コンピュータプログラムが記憶されており、前記コンピュータプログラムがプロセッサによって実行されると、上述したランダムアクセス方法のステップを実現させる、コンピュータ可読記憶媒体を提供する。
【００１２】
本開示の実施例では、端末は、ｉ−１回目のランダムアクセスプロセスにおける第１のデータコンテンツをキャッシュするとともに、ｉ回目のランダムアクセスプロセスにおいて、上記第１のデータコンテンツにおける第１データを送信することにより、隣接した２回のランダムアクセスプロセスの試行間におけるデータ処理方式を規範化することができ、また、ランダムアクセスプロセスにおけるデータ損失率を低減し、データ伝送の確実性を向上させることができる。
【００１３】
本開示における実施例の技術案をさらに明瞭に説明するために、以下は、本開示における実施例の記述に使用すべき添付図面を簡単に紹介する。自明なことに、後述する添付図面はただ本開示のいくつかの実施例に過ぎず、当業者にとって、創造的な労力を払わないことを前提として、それらの添付図面に基づいて、他の添付図面を取得することができる。
【図面の簡単な説明】
【００１４】
【図１】本開示の実施例が応用できるネットワークシステムの構造図である。
【図２】本開示の実施例が提供するランダムアクセスプロセスの概略図である。
【図３】本開示の実施例が提供するランダムアクセス方法のフローチャートのその１である。
【図４】本開示の実施例が提供するランダムアクセス方法のフローチャートのその２である。
【図５】本開示の実施例が提供する端末の構造図のその１である。
【図６】本開示の実施例が提供する端末の構造図のその２である。
【図７】本開示の実施例が提供する端末の構造図のその３である。
【発明を実施するための形態】
【００１５】
以下は、本願開示の実施例における添付図面を結び付けながら、本開示の実施例の技術案を明確かつ完全に説明する。明らかに、記載された実施例は本開示の一部の実施例であり、全部の実施例ではない。本開示の実施例を基に、当業者は、創造的な労力を払わないことを前提として、得られる全ての他の実施例はいずれも、本開示の保護範囲に属する。
【００１６】
本願における用語である「第１の」、「第２の」などは、類似した対象を区別させるためのものであり、必ずしも特定の順序又は前後順序を記述するために用いられるものではない。また、用語である「含む」、「備える」及びそれらの任意の変形は、非排他的な「含む」をカバーするためのものであり、例えば、一連のステップまたはユニットのプロセス、方法、システム、製品又は装置を含むことは、これらの明瞭に挙げられたステップまたはユニットに限らず、明瞭に挙げられていない、または、これらのプロセス、方法、製品または装置の固有の他のステップまたはユニットを含んでもよいことを意味している。また、本願に用いられる「及び／又は」は、接続される対象の少なくとも１つを表し、例えば、Ａ及び／又はＢ及び／又はＣとは、単一のＡ、単一のＢ、単一のＣ、および、ＡとＢの両方が存在し、ＢとＣの両方が存在し、ＡとＣの両方が存在し、また、ＡもＢもＣも存在する、という７つの場合が存在することを意味している。
【００１７】
図１を参照して、図１は、本開示の実施例が応用できるネットワークシステムの構造図である。図１に示されるように、端末１１とネットワーク側機器１２を含み、そのうち、端末１１とネットワーク側機器１２は通信可能となっている。
【００１８】
本開示の実施例では、端末１１は、ＵＥ（Ｕｓｅｒ  Ｅｑｕｉｐｍｅｎｔ、ユーザ端末）と呼ばれてもよく、具体的な実現方式として、端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）、ウェアラブル装置（Ｗｅａｒａｂｌｅ  Ｄｅｖｉｃｅ）又は車載装置などの端末側機器であってもよい。ここで説明すべきなのは、本開示の実施例では、端末１１の具体的なタイプについて限定されていない。
【００１９】
ネットワーク側機器１２は、基地局、中継局、又は、アクセスポイントなどであってもよい。基地局は、５Ｇ及びその後続のバージョンの基地局（例えば、５Ｇ  ＮＲ  ＮＢ）であってもよく、又は、他の通信システムにおける基地局（例えば、ｅＮＢ（Ｅｖｏｌｕｔｉｏｎａｌ  Ｎｏｄｅ  Ｂ、進化型基地局））であってもよい。ここに説明すべきなのは、本開示の実施例では、ネットワーク側機器１２の具体的なタイプについて限定されていない。
【００２０】
説明の便宜上、以下は、本開示の実施例に係る幾つかの内容を説明する。
【００２１】
一、従来のランダムアクセスプロセス
【００２２】
従来のランダムアクセスプロセスは、競合に基づくランダムアクセスプロセスと非競合に基づくランダムアクセスプロセスを含んでもよい。そのうち、競合に基づくランダムアクセスプロセスは、四段階ランダムアクセス（４−ｓｔｅｐ  ＲＡＣＨ）プロセスとして表されてもよい。
【００２３】
「競合に基づくランダムアクセスプロセス」について、ＵＥはＭｓｇ１（ランダムアクセスリクエストメッセージ）をネットワーク側機器に送信する。ネットワーク側機器は、Ｍｓｇ１を受信してから、Ｍｓｇ２（ＲＡＲ（Ｒａｎｄｏｍ  Ａｃｃｅｓｓ  Ｒｅｓｐｏｎｓｅ、ランダムアクセスリスポンス）メッセージ）をＵＥに送信し、Ｍｓｇ２には、上りリンク許可情報が運ばれる。ＵＥは、Ｍｓｇ２における上りリンク許可情報に基づいて、ＭＡＣ（Ｍｅｄｉｕｍ  Ａｃｃｅｓｓ  Ｃｏｎｔｒｏｌ、媒体アクセス制御）レイヤのパケット機能を実行してＭＡＣ  ＰＤＵ（Ｐｒｏｔｏｃｏｌ  Ｄａｔａ  Ｕｎｉｔ、プロトコルデータユニット）を生成するとともに、当該ＭＡＣ  ＰＤＵをＭｓｇ３キャッシュに記憶し、その後、ＵＥは、Ｍｓｇ３キャッシュにおけるＭＡＣ  ＰＤＵをＨＡＲＱプロセスによって送信する。ネットワーク側機器は、Ｍｓｇ３を受信してから、Ｍｓｇ４（例えば、競合解決標識）をＵＥに送信する。ＵＥはＭｓｇ４を受信して、競合解決が成功したか否かを判断し、成功した場合に、ランダムアクセスプロセスが成功することを示すが、さもなければ、ランダムアクセスプロセスを新たに開始する。
【００２４】
新たに開始したランダムアクセスプロセスに対し、ＵＥがＭｓｇ２における上りリンク許可情報をさらに受信した後、ＵＥは、Ｍｓｇ３キャッシュから、その前に記憶されたＭＡＣ  ＰＤＵを直接に取り出して、ＨＡＲＱプロセスによって送信することができる。ＵＥは、ランダムアクセスプロセスが終了した（例えば、ランダムアクセスプロセスが成功した、又は、ランダムアクセスプロセスが失敗した）後、ランダムアクセスプロセスにおけるＭｓｇ３伝送のＨＡＲＱキャッシュをクリアする。
【００２５】
「非競合に基づくランダムアクセスプロセス」について、ＵＥはＭｓｇ１をネットワーク側機器に送信する。ネットワーク側機器は、Ｍｓｇ１を受信してから、Ｍｓｇ２をＵＥに送信し、Ｍｓｇ２には、上りリンク許可情報と、ＵＥの標識情報（例えば、Ｍｓｇ１におけるランダムアクセスプリアンブル（ｐｒｅａｍｂｌｅ）番号）とが運ばれる。仮に、当該ランダムアクセスプリアンブル番号がＵＥのＭｓｇ１に運ばれたランダムアクセスプリアンブル番号と同じである場合、ＵＥは、当該ランダムアクセスプロセスが成功したことを判断し、さもなければ、ランダムアクセスプロセスを新たに開始する。
【００２６】
ＵＥは、ランダムアクセスプロセスを開始（又は新たに開始）するたびに、各ランダムアクセスプロセスにおけるＭｓｇ１リソースの対応する下りリンク信号品質（例えば、ＳＳＢ（Ｓｙｎｃｈｒｏｎｏｕｓ  Ｓｉｇｎａｌ  Ｂｌｏｃｋ、同期信号ブロック）のＲＳＲＰ（Ｒｅｆｅｒｅｎｃｅ  Ｓｙｍｂｏｌ  Ｒｅｃｅｉｖｅｄ  Ｐｏｗｅｒ、基準シンボル受信強度））に基づいて、ランダムアクセスリソースの選択を行い、それにより、ランダムアクセスの成功率が向上した。そのため、ＵＥは、ランダムアクセスプロセスを開始（又は新たに開始）するたびに、「競合に基づくランダムアクセスプロセス」または「非競合に基づくランダムアクセスプロセス」を選択する可能性がある。一方、ＵＥは、ｉ回目のランダムアクセスプロセスを新たに開始するとき、ｉ回目のランダムアクセスプロセスとｉ−１回目のランダムアクセスプロセスのタイプが同じであってもよく、変化してもよい。ただし、ｉが１よりも大きい整数である。
【００２７】
二、二段階ランダムアクセス（２−Ｓｔｅｐ  ＲＡＣＨ）プロセス
【００２８】
本開示の実施例では、図２に示されるように、二段階ランダムアクセスプロセスにおいて、以下のステップが含まれてもよい。
【００２９】
ステップ２０１、ネットワーク側機器は、ＵＥに対して、二段階ランダムアクセスの配置情報（２−Ｓｔｅｐ  ＲＡＣＨ  ｃｏｎｆｉｇｕｒａｔｉｏｎ）を配置すること。そのうち、配置情報は、ＭｓｇＡとＭｓｇＢに対応する送信リソース情報を含んでもよい。
【００３０】
ステップ２０２、ＵＥは、ＭｓｇＡをネットワーク側機器に送信すること。それにより、２−Ｓｔｅｐ  ＲＡＣＨプロセスをトリガする。そのうち、ＵＥは、ＰＵＳＣＨ（Ｐｈｙｓｉｃａｌ  Ｕｐｌｉｎｋ  Ｓｈａｒｅｄ  Ｃｈａｎｎｅｌ、物理的上りリンク共有チャネル）によってＭｓｇＡを送信してもよい。
【００３１】
ここで説明すべきなのは、本開示の実施例では、ＭｓｇＡはデータ部分と非データ部分を含んでもよい。図２に示されるように、ＭｓｇＡには、データ（Ｄａｔａ）と第１のＵＥ標識（ＵＥ−ＩＤ１）が運ばれてもよい。
【００３２】
ステップ２０３、ネットワーク側機器はフィードバックメッセージＭｓｇＢをＵＥに送信すること。
【００３３】
図２に示されるように、ＭｓｇＢには、第２のＵＥ標識（ＵＥ−ＩＤ２）と確認指示（Ａｃｋｎｏｗｌｅｄｇｅ  Ｉｎｄｉｃａｔｉｏｎ、ＡＣＫ  Ｉｎｄｉｃａｔｉｏｎと略称）が運ばれてもよい。
【００３４】
ここで説明すべきなのは、仮に、ＵＥは、ＭｓｇＢを受信してから、解析により、ＭｓｇＢに運ばれた第２のＵＥ標識とＵＥが送信したＭｓｇＡに運ばれた第１のＵＥ標識とがマッチングしないことを見出した場合、ＭｓｇＢの受信が失敗したと判断することができ、ＵＥはＭｓｇＡを新たに送信する必要があり、すなわち、ランダムアクセスプロセスを新たに開始する必要がある。
【００３５】
本開示の実施例における二段階ランダムアクセスプロセスでは、ステップ２０２で送信されるＭｓｇＡは四段階ランダムアクセスプロセスにおけるＭｓｇ１とＭｓｇ３の組み合わせに相当するものであり、ステップ２０３で送信されるＭｓｇＢは四段階ランダムアクセスプロセスにおけるＭｓｇ２とＭｓｇ４の組み合わせに相当するものである。ここで理解すべきなのは、実際な応用では、二段階ランダムアクセスプロセスにおけるＭｓｇＡはＭｓｇ１と呼ばれてもよく、ＭｓｇＢはＭｓｇ２と呼ばれてもよい。具体的には、実際な状況に応じて確定することができるが、本開示の実施例では、それらについて限定されていない。
【００３６】
以下は、本開示の実施例におけるランダムアクセス方法を説明する。
【００３７】
図３を参照して、図３は、本開示の実施例が提供するランダムアクセス方法のフローチャートのその１である。図３に示されるように、本実施例におけるランダムアクセス方法において、以下のステップが含まれる。
【００３８】
ステップ３０１、ｉ回目のランダムアクセスプロセスにおいて、第１のデータコンテンツにおける第１データを送信すること。
【００３９】
そのうち、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である。
【００４０】
本実施例では、前記ｉ回目のランダムアクセスプロセスと前記ｉ−１回目のランダムアクセスプロセスのうちの少なくとも１つは二段階ランダムアクセスプロセスである。具体的な実現方式として、下記幾つかの実施の形態が含まれてもよいが、それらに限らない。すなわち、一、ｉ−１回目のランダムアクセスプロセスとｉ回目のランダムアクセスプロセスの両方が二段階ランダムアクセスプロセスであってもよいこと、二、ｉ−１回目のランダムアクセスプロセスが二段階ランダムアクセスプロセスであって、ｉ回目のランダムアクセスプロセスが四段階ランダムアクセスプロセスであってもよいこと、三、ｉ−１回目ランダムアクセスプロセスが四段階ランダムアクセスプロセスであって、ｉ回目のランダムアクセスプロセスが二段階ランダムアクセスプロセスであってもよいこと、四、ｉ−１回目のランダムアクセスプロセスが二段階ランダムアクセスプロセスであって、ｉ回目のランダムアクセスプロセスが非競合ランダムアクセスプロセスであってもよいこと。
【００４１】
ここで説明すべきなのは、本開示の実施例では、ｉ−１回目のランダムアクセスプロセスが二段階ランダムアクセスプロセスであり、ｉ回目のランダムアクセスプロセスが四段階ランダムアクセスプロセスであるという実施の形態において、ｉ−１回目のランダムアクセスプロセスが失敗した後、ＵＥは、四段階ランダムアクセスプロセスを新たに開始して、四段階ランダムアクセスプロセスにおけるメッセージ１を新たに送信してもよく、又は、二段階ランダムアクセスプロセスを四段階ランダムアクセスプロセスに変換して、四段階ランダムアクセスプロセスにおけるメッセージ３を新たに送信してもよい。具体的には、実際な必要に応じて決定してもよい。本開示の実施例では、それについて限定されていない。
【００４２】
また、本開示の実施例では、二段階ランダムアクセスプロセス、四段階ランダムアクセスプロセス、および、非競合ランダムアクセスプロセスは、それぞれ、異なるランダムアクセスプロセスのタイプに該当するものである。
【００４３】
ＵＥは、ｉ−１回目のランダムアクセスプロセスを実行するとき、ｉ−１回目のランダムアクセスプロセスにおける第１のデータコンテンツをキャッシュすることができる。そうすると、隣接した２回のランダムアクセスプロセスの試行間におけるデータ処理方式を規範化することができ、また、ｉ−１回目のランダムアクセスプロセスが失敗し、ｉ回目のランダムアクセスプロセスを実行するとき、キャッシュされた第１のデータコンテンツから第１データを抽出するとともに、前記第１データを送信することにより、データ損失率を低減し、データ伝送の確実性を向上させることができる。
【００４４】
実際な応用では、ｉ回目のランダムアクセスプロセスにおいて、第１のデータコンテンツにおける第１データをターゲットデータコンテンツに運ばせて送信してもよい。そのうち、ターゲットデータコンテンツは、第１のデータコンテンツ（すなわち、ｉ−１回目のランダムアクセスプロセスにキャッシュされたデータコンテンツ）、または、第２のデータコンテンツ（ｉ回目のランダムアクセスプロセスに生成されたデータコンテンツ）であってもよい。
【００４５】
ここで説明すべきなのは、本開示の実施例では、データコンテンツは送信データパケットのサイズ（又は、送信リソースのサイズ）に対応し、かつ、２回のランダムアクセスプロセスにおける送信データパケットのサイズが異なる場合、当該２回のランダムアクセスプロセスにおける送信データパケットのサイズに対応するデータコンテンツが異なってもよい。また、２回のランダムアクセスプロセスにおける送信データパケットのサイズが同じである場合、当該２回のランダムアクセスプロセスにおける送信データパケットのサイズに対応するデータコンテンツが同じであってもよい。
【００４６】
そのうち、上記データコンテンツは、第１メッセージの送信に用いられてもよい。上記第１メッセージの具体的な表現形式は、ランダムアクセスプロセスの表現形式に基づいて決められてもよい。例示的に、ランダムアクセスプロセスが二段階ランダムアクセスプロセスである場合、第１メッセージは、二段階ランダムアクセスプロセスにおけるＭｓｇＡであってもよいが、ランダムアクセスプロセスが四段階ランダムアクセスプロセスである場合、第１メッセージは、四段階ランダムアクセスプロセスにおけるＭｓｇ３であってもよい。具体的な実現方式として、上記データコンテンツはＭＡＣ  ＰＤＵ  として表現することができるが、これに限定されない。上記送信データパケットのサイズは上りリンク許可情報に基づいて決定することができる。
【００４７】
そのため、上記ターゲットデータコンテンツの具体的な表現形式は、ｉ回目のランダムアクセスプロセスにおける送信データパケットのサイズとｉ−１回目のランダムアクセスプロセスにおける送信データパケットのサイズとの比較結果によって決められてもよい。
【００４８】
シーン１、比較結果が異なり、すなわち、ｉ回目のランダムアクセスプロセスにおける送信データパケットのサイズがｉ−１回目のランダムアクセスプロセスにおける送信データパケットのサイズと異なる場合。
【００４９】
選択的に、第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信することを含む。
【００５０】
そのシーンでは、前記ｉ回目のランダムアクセスプロセスにおける送信データパケットのサイズが前記ｉ−１回目のランダムアクセスプロセスにおける送信データパケットのサイズとは異なるため、ｉ回目のランダムアクセスプロセスにおける送信データパケットのサイズに対応するデータコンテンツはｉ−１回目のランダムアクセスプロセスにおける送信データパケットのサイズに対応するデータコンテンツとは異なることが分かった。そのため、端末は、第１データを含む第２のデータコンテンツを新たに生成するとともに、第２のデータコンテンツによって第１データを送信することができ、それにより、第１データの送信の成功率を向上させることができる。
【００５１】
これより分かるように、シーン１では、ターゲットデータコンテンツは、第２のデータコンテンツ、すなわち、ｉ回目のランダムアクセスプロセスに生成されたデータコンテンツとして表される。
【００５２】
本実施例では、送信リソースのサイズはＴＢＳ（Ｔｒａｎｓｐｏｒｔ  Ｂｌｏｃｋ  Ｓｉｚｅ、伝送ブロックサイズ）として表されてもよい。そのため、選択的に、前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信してもよい。具体的には、以下のように表されてもよい。
【００５３】
前記ｉ回目のランダムアクセスプロセスに用いられるＴＢＳが前記ｉ−１回目のランダムアクセスプロセスに用いられるＴＢＳとは異なる場合、前記第１データを含む第２のデータコンテンツを新たに生成するとともに、前記第２のデータコンテンツを送信する。
【００５４】
さらに、前記第１データを含む第２のデータコンテンツを新たに生成した後であって、前記第２のデータコンテンツを送信する前に、
前記第２のデータコンテンツをキャッシュすることをさらに含む。
【００５５】
そうすると、ｉ回目のランダムアクセスプロセスが失敗し、端末はｉ＋１回目のランダムアクセスプロセスを新たに開始するとき、第２のデータコンテンツに含まれたデータを送信することができる。それにより、データ損失率を低減し、データ伝送の確実性を向上させることができる。
【００５６】
具体的な実現方式として、端末は、第２のデータコンテンツをｉ回目のランダムアクセスプロセスに対応するキャッシュ位置にキャッシュし、第１のデータコンテンツをｉ−１回目のランダムアクセスプロセスに対応するキャッシュ位置にキャッシュすることが挙げられる。実際な応用では、ｉ回目のランダムアクセスプロセスに対応するキャッシュ位置は、ｉ−１回目のランダムアクセスプロセスに対応するキャッシュ位置と同じであってもよく、異なってもよい。そのため、前記第２のデータコンテンツのキャッシュ位置は、前記第１のデータコンテンツのキャッシュ位置と同じであってもよく、異なってもよい。
【００５７】
選択的に、前記第２のデータコンテンツのキャッシュ位置は、前記第１のデータコンテンツのキャッシュ位置と同じであり、または、異なる。
【００５８】
具体的に、ｉ回目のランダムアクセスプロセスとｉ−１回目のランダムアクセスプロセスが同一のタイプのランダムアクセスプロセスに該当する場合、ｉ回目のランダムアクセスプロセスに対応するキャッシュ位置とｉ−１回目のランダムアクセスプロセスに対応するキャッシュ位置が同じであり、第２のデータコンテンツのキャッシュ位置と前記第１のデータコンテンツのキャッシュ位置が同じである。例示的に、ｉ回目のランダムアクセスプロセスもｉ−１回目のランダムアクセスプロセスも二段階ランダムアクセスプロセスであれば、第２のデータコンテンツを二段階ランダムアクセスプロセスに対応するキャッシュ位置、第１のＲＡＣＨキャッシュ位置、または、ＭｓｇＡキャッシュ位置に記憶してもよい。
【００５９】
ｉ回目のランダムアクセスプロセスとｉ−１回目のランダムアクセスプロセスが同一のタイプのランダムアクセスプロセスに該当しないが、ｉ回目のランダムアクセスプロセスが該当するランダムアクセスプロセスのタイプとｉ−１回目のランダムアクセスプロセスが該当するランダムアクセスプロセスとが同一のキャッシュ位置を利用してデータコンテンツを記憶する場合、ｉ回目のランダムアクセスプロセスに対応するキャッシュ位置とｉ−１回目のランダムアクセスプロセスに対応するキャッシュ位置が同じであり、第２のデータコンテンツのキャッシュ位置と前記第１のデータコンテンツのキャッシュ位置が同じである。例示的に、仮に、ｉ回目のランダムアクセスプロセスとｉ−１回目のランダムアクセスプロセスのうちの一方が二段階ランダムアクセスプロセスであり、他方が四段階ランダムアクセスプロセスであるが、二段階ランダムアクセスプロセスと四段階ランダムアクセスプロセスとが同一のキャッシュ位置（例えば、第２のＲＡＣＨキャッシュ位置）を利用してデータコンテンツを記憶すると、第２のデータコンテンツを、二段階ランダムアクセスプロセスと四段階ランダムアクセスプロセスに対応する同一のキャッシュ位置にキャッシュしてもよい。
【００６０】
ｉ回目のランダムアクセスプロセスとｉ−１回目のランダムアクセスプロセスが同一のタイプのランダムアクセスプロセスに該当しなく、かつ、ｉ回目のランダムアクセスプロセスが該当するランダムアクセスプロセスのタイプとｉ−１回目のランダムアクセスプロセスが該当するランダムアクセスプロセスとが異なるキャッシュ位置を利用してデータコンテンツを記憶する場合、ｉ回目のランダムアクセスプロセスに対応するキャッシュ位置とｉ−１回目のランダムアクセスプロセスに対応するキャッシュ位置が異なり、第２のデータコンテンツのキャッシュ位置と第１のデータコンテンツのキャッシュ位置が異なる。例示的に、ｉ回目のランダムアクセスプロセスが二段階ランダムアクセスプロセスであり、ｉ−１回目のランダムアクセスプロセスが四段階ランダムアクセスプロセスであり、かつ、二段階ランダムアクセスプロセスに対応するキャッシュ位置がＭｓｇＡキャッシュ位置であり、四段階ランダムアクセスプロセスに対応するキャッシュ位置がＭｓｇ３キャッシュ位置であれば、第２のデータコンテンツをＭｓｇ３キャッシュ位置に記憶してもよい。
【００６１】
本実施例では、ＵＥは種々の方式により、第２のデータコンテンツを送信してもよい。選択的に、前記第２のデータコンテンツを送信することは、
前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信すること、を含む。
【００６２】
具体的な実現方式として、ｉ回目のランダムアクセスプロセスが二段階ランダムアクセスプロセスである場合、仮に、二段階ランダムアクセスプロセスにおいて、ＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）による実行をサポートできれば、第２のデータコンテンツをＨＡＲＱキャッシュに記憶して、ＨＡＲＱプロセスによって送信することができるが、二段階ランダムアクセスプロセスにおいて、ＨＡＲＱプロセスをサポートできなければ、第２のデータコンテンツを第２のデータコンテンツに対応するプロトコルレイヤのボトムレイヤに送信し、ボトムレイヤによって第２のデータコンテンツを送信してもよい。例示的に、データコンテンツは、ＭＡＣ  ＰＤＵとして表されてもよい。そうすると、第２のデータコンテンツに対応するプロトコルレイヤがＭＡＣレイヤであり、物理層によって第２のデータコンテンツを送信する。
【００６３】
ｉ回目のランダムアクセスプロセスが四段階ランダムアクセスプロセス、または、非競合のランダムな競合である場合、前記第２のデータコンテンツをＨＡＲＱキャッシュに記憶して、ＨＡＲＱプロセスによって送信してもよい。
【００６４】
シーン２、比較結果が同じ、すなわち、ｉ回目のランダムアクセスプロセスにおける送信データパケットのサイズがｉ−１回目のランダムアクセスプロセスにおける送信データパケットのサイズと同じである場合。
【００６５】
選択的に、前記第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信することを含む。
【００６６】
そのシーンでは、前記ｉ回目のランダムアクセスプロセスにおける送信データパケットのサイズが前記ｉ−１回目のランダムアクセスプロセスにおける送信データパケットのサイズとは同じであるため、ｉ回目のランダムアクセスプロセスにおける送信データパケットのサイズに対応するデータコンテンツはｉ−１回目のランダムアクセスプロセスにおける送信データパケットのサイズに対応するデータコンテンツと同じであることが分かった。そのため、端末は、直接に、前記ｉ−１回目のランダムアクセスプロセスで前記第１のデータコンテンツがキャッシュされたキャッシュ位置から、前記第１のデータコンテンツを取り出して送信することができる。そうすると、シーン１と比べて、第２のデータコンテンツを生成することなく、直接に、第１のデータコンテンツによって第１データを送信することができ、操作が簡素化される。
【００６７】
これより分かるように、シーン２では、ターゲットデータコンテンツは、第１のデータコンテンツ、すなわち、ｉ−１回目のランダムアクセスプロセスにキャッシュされたデータコンテンツとして表される。
【００６８】
シーン２では、シーン１と類似したように、選択的に、前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信する。具体的には、以下のように表されてもよい。
【００６９】
前記ｉ回目のランダムアクセスプロセスに用いられるＴＢＳが前記ｉ−１回目のランダムアクセスプロセスに用いられるＴＢＳと異なる場合、前記ｉ−１回目のランダムアクセスプロセスで前記第１のデータコンテンツがキャッシュされたキャッシュ位置から、前記第１のデータコンテンツを取り出して送信する。
【００７０】
ここで説明すべきなのは、シーン１では、ＵＥは、前記ｉ−１回目のランダムアクセスプロセスで前記第１のデータコンテンツがキャッシュされたキャッシュ位置から、第１のデータコンテンツを取り出した後、第１のデータコンテンツをｉ回目のランダムアクセスプロセスに対応するキャッシュ位置に記憶することができる。そうすると、ｉ回目のランダムアクセスプロセスが失敗し、端末はｉ＋１回目のランダムアクセスプロセスを新たに開始するとき、端末は、キャッシュされた第１のデータコンテンツに含まれたデータを送信することができる。それにより、データ損失率を低減し、データ伝送の確実性を向上させることができる。
【００７１】
理解すべきなのは、ｉ回目のランダムアクセスプロセスで第１のデータコンテンツが記憶されたキャッシュ位置は、ｉ−１回目のランダムアクセスプロセスで第１のデータコンテンツが記憶されたキャッシュ位置と同じであってもよく、異なってもよい。具体的には、シーン１における関連内容の記述を参照されたい。ここでは説明を省略する。
【００７２】
また、シーン２におけるＵＥによる第１のデータコンテンツの送信方式は、シーン１におけるＵＥによる第２のデータコンテンツの送信方式と同じである。具体的には、シーン２における関連内容の記述を参照されたい。ここでは説明を省略する。
【００７３】
説明すべきなのは、本実施例で紹介されている種々の選択可能な実施の形態について、それらは相互に組み合わせて実現されてもよいし、個別に実現されてもよい。本開示の実施例では、それらについて限定されていない。
【００７４】
理解されやすくするために、以下は、各実施の形態を参考しながら、説明する。
【００７５】
実施の形態１、ｉ−１回目のランダムアクセスプロセスもｉ回目のランダムアクセスプロセスも二段階ランダムアクセスプロセスであってもよいこと。
【００７６】
ステップ０：ＵＥによるｉ−１回目のランダムアクセスプロセスの試行が失敗した場合、ＵＥは、ランダムアクセスプロセスの最大試行回数に達する前に、ランダムアクセスプロセスの試行を再び行い、すなわち、ｉ−１回目のランダムアクセスプロセスの試行を行うこと。
【００７７】
ステップ１．１：ＵＥによるｉ−１回目のランダムアクセスプロセスの試行の実行中、ＵＥは、上りリンク送信リソースのサイズに応じて対応した処理を行った後、上りリンクデータの送信をさらに行うこと。ただし、ＵＥによる処理方法は、下記のうちのいずれか１つを含む。
【００７８】
１）、ＵＥによるＭｓｇＡデータ送信のリソースのサイズが変化しない場合（例えば、上りリンク許可情報に基づいて生成されたＴＢＳが前回のＭｓｇＡデータ送信のＴＢＳと同じである場合）、ＵＥは、前に記憶された第１のデータコンテンツ（例えば、ＭＡＣ  ＰＤＵ）を直接に用いてＭｓｇＡデータ送信を行うこと、および、
２）、ＵＥによるＭｓｇＡデータ送信のリソースのサイズが変化した場合（例えば、上りリンク許可情報に基づいて生成されたＴＢＳが前回のＭｓｇＡデータ送信のＴＢＳとは異なり、増加し、または、減少した場合）、ＵＥは第２のデータコンテンツを新たに生成するとともに、第２のデータコンテンツを二段階ランダムアクセスプロセスに対応するキャッシュ位置（例えば、ＲＡＣＨ  ｂｕｆｆｅｒ又はＭｓｇＡ  ｂｕｆｆｅｒ）に記憶し、また、第２のデータコンテンツを用いてＭｓｇＡデータ送信を行うこと。
【００７９】
ステップ１．２：二段階ランダムアクセスプロセスにおけるＭｓｇＡに対するＨＡＲＱプロセスによる送信をサポートできるか否かによって、ＵＥによる処理行為は下記のうちのいずれか１つを含む。
【００８０】
１）、二段階ランダムアクセスプロセスにおけるＭｓｇＡに対するＨＡＲＱプロセスによる送信をサポートできれば、ＵＥは、ＭｓｇＡデータ送信を行うとき、ターゲットデータコンテンツ（第１のデータコンテンツ又は第２のデータコンテンツ）を取得した後、ターゲットデータコンテンツをＨＡＲＱキャッシュに記憶し、対応したＨＡＲＱプロセスによって送信すること、および、
２）、二段階ランダムアクセスプロセスにおけるＭｓｇＡに対するＨＡＲＱプロセスによる送信をサポートできなければ、ＵＥは、ＭｓｇＡデータ送信を行うとき、ターゲットデータコンテンツを取得した後、ターゲットデータコンテンツを、ターゲットデータコンテンツに対応するプロトコルレイヤのボトムレイヤに送信してデータ送信を行う（例えば、ＵＥのＭＡＣレイヤがＭｓｇＡ  Ｂｕｆｆｅｒから第１のデータコンテンツを取得した後、物理層に送信してデータ送信を行う）こと。
【００８１】
実施の形態２、ｉ−１回目のランダムアクセスプロセスが二段階ランダムアクセスプロセスであってもよく、ｉ回目のランダムアクセスプロセスが四段階ランダムアクセスプロセスであってもよいこと。
【００８２】
ステップ０：ＵＥによるｉ−１回目のランダムアクセスプロセスの試行が失敗した場合、ＵＥは、ランダムアクセスプロセスの最大試行回数に達する前に、ランダムアクセスプロセスの試行を再び行い、すなわち、ｉ−１回目のランダムアクセスプロセスの試行を行うこと。
【００８３】
ステップ１．１：ＵＥによるｉ−１回目のランダムアクセスプロセスの試行の実行中、ＵＥは、上りリンク送信リソースのサイズに応じて対応した処理を行った後、上りリンクデータの送信をさらに行うこと。ただし、ＵＥによる処理方法は、下記のうちのいずれか１つを含む。
【００８４】
１）、ＵＥによるＭｓｇ３データ送信のリソースのサイズが変化しない場合（例えば、上りリンク許可情報に基づいて生成されたＴＢＳが前回のＭｓｇＡデータ送信のＴＢＳと同じである場合）、ＵＥは、前に記憶された第１のデータコンテンツ（例えば、ＭＡＣ  ＰＤＵ）を直接に用いてＭｓｇ３データ送信を行うこと、および、
２）、ＵＥによるＭｓｇ３データ送信のリソースのサイズが変化した場合（例えば、上りリンク許可情報に基づいて生成されたＴＢＳが前回のＭｓｇＡデータ送信のＴＢＳとは異なり、増加し、または、減少した場合）、ＵＥは第２のデータコンテンツを新たに生成するとともに、第２のデータコンテンツを用いてＭｓｇ３データ送信を行うこと。
【００８５】
なお、四段階ランダムアクセスプロセスでは、ＵＥは、二段階ランダムアクセスプロセスにキャッシュされた第１のデータコンテンツ又は新たに生成されたＭｓｇ３の送信用の第２のデータコンテンツを、「四段階ランダムアクセスプロセスに対応するキャッシュ位置（例えば、Ｍｓｇ３  Ｂｕｆｆｅｒ）」に記憶してもよい。
【００８６】
又は、四段階ランダムアクセスプロセスと二段階ランダムアクセスプロセスでは、同一のキャッシュ位置（例えば、ＲＡＣＨ  ｂｕｆｆｅｒ）を利用して、ランダムアクセスプロセスにおける上りリンク送信用のデータ（例えば、２−ｓｔｅｐ  ＲＡＣＨのＭｓｇＡ、４−ｓｔｅｐ  ＲＡＣＨのＭｓｇ３）を記憶してもよい。
【００８７】
ステップ１．２：四段階ランダムアクセスプロセスにおけるＭｓｇ３データ送信の実行時、ＵＥは、ターゲットデータコンテンツを取得した後、ターゲットデータコンテンツをＨＡＲＱキャッシュに記憶し、対応したＨＡＲＱプロセスによって送信すること。
【００８８】
実施の形態３、ｉ−１回目のランダムアクセスプロセスが四段階ランダムアクセスプロセスであってもよく、ｉ回目のランダムアクセスプロセスが二段階ランダムアクセスプロセスであってもよいこと。
【００８９】
ステップ０：ＵＥによるｉ−１回目のランダムアクセスプロセスの試行の実行中、ＵＥは、上りリンク送信リソースのサイズに応じて対応した処理を行った後、上りリンクデータの送信をさらに行うこと。ただし、ＵＥによる処理方法は、下記のうちのいずれか１つを含む。
【００９０】
１）、ＵＥによるＭｓｇＡデータ送信のリソースのサイズが変化しない場合（例えば、上りリンク許可情報に基づいて生成されたＴＢＳが前回のＭｓｇ３データ送信のＴＢＳと同じである場合）、ＵＥは、前に記憶された第１のデータコンテンツ（例えば、ＭＡＣ  ＰＤＵ）を直接に用いてＭｓｇ３データ送信を行うこと、および、
２）、ＵＥによるＭｓｇＡデータ送信のリソースのサイズが変化した場合（例えば、上りリンク許可情報に基づいて生成されたＴＢＳが前回のＭｓｇ３データ送信のＴＢＳとは異なり、増加し、または、減少した場合）、ＵＥは第２のデータコンテンツを新たに生成するとともに、第２のデータコンテンツを用いてＭｓｇＡデータ送信を行うこと。
【００９１】
なお、二段階ランダムアクセスプロセスでは、ＵＥは、四段階ランダムアクセスプロセスにキャッシュされた第１のデータコンテンツ又は新たに生成されたＭｓｇＡの送信用の第２のデータコンテンツを、二段階ランダムアクセスプロセスに対応するキャッシュ（例えば、ＭｓｇＡ  Ｂｕｆｆｅｒ）に記憶してもよい。
【００９２】
又は、四段階ランダムアクセスプロセスと二段階ランダムアクセスプロセスでは、同一のキャッシュ位置（例えば、ＲＡＣＨ  ｂｕｆｆｅｒ）を利用して、ランダムアクセスプロセスにおける上りリンク送信用のデータ（例えば、２−ｓｔｅｐ  ＲＡＣＨのＭｓｇＡ、４−ｓｔｅｐ  ＲＡＣＨのＭｓｇ３）を記憶してもよい。
【００９３】
ステップ１．２：ＵＥによる処理行為は、実施の形態１におけるＵＥによる処理行為と同じであり、ここでは説明を省略する。
【００９４】
実施の形態４、ｉ−１回目のランダムアクセスプロセスが二段階ランダムアクセスプロセスであってもよく、ｉ回目のランダムアクセスプロセスが非競合ランダムアクセスプロセスであってもよいこと。
【００９５】
ステップ０：ＵＥによるｉ−１回目のランダムアクセスプロセスの試行が失敗した場合、ＵＥは、ランダムアクセスプロセスの最大試行回数に達する前に、ランダムアクセスプロセスの試行を再び行い、すなわち、ｉ−１回目のランダムアクセスプロセスの試行を行うこと。
【００９６】
ステップ１．１：ＵＥによるｉ−１回目のランダムアクセスプロセスの試行の実行中、ＵＥは、上りリンク送信リソースのサイズに応じて対応した処理を行った後、上りリンクデータの送信をさらに行うこと。ただし、ＵＥによる処理方法は、下記のうちのいずれか１つを含む。
【００９７】
１）、ＵＥによる非競合ランダムアクセスプロセスの実行後、Ｍｓｇ２に指定されたデータ送信のリソースのサイズが変化しない場合（例えば、上りリンク許可情報に基づいて生成されたＴＢＳが前回のＭｓｇＡデータ送信のＴＢＳと同じである場合）、ＵＥは、前に記憶された第１のデータコンテンツ（例えば、ＭＡＣ  ＰＤＵ）を直接に用いてデータ送信を行うこと、および、
２）、ＵＥによる非競合ランダムアクセスプロセスの実行後、Ｍｓｇ２に指定されたデータ送信のリソースのサイズが変化した場合（例えば、上りリンク許可情報に基づいて生成されたＴＢＳが前回のＭｓｇＡデータ送信のＴＢＳとは異なり、増加し、または、減少した場合）、ＵＥは第２のデータコンテンツを新たに生成するとともに、第２のデータコンテンツを用いてデータ送信を行うこと。
【００９８】
ステップ１．２：ＵＥは、ターゲットデータコンテンツを取得した後、ターゲットデータコンテンツをＨＡＲＱキャッシュに記憶し、対応したＨＡＲＱプロセスによって送信すること。
【００９９】
本開示の実施例では、二段階ランダムアクセスプロセスで生成されたデータコンテンツに対するＵＥによる処理行為を特定するためのランダムアクセス方法をさらに提供する。
【０１００】
図４を参照して、図４は、本開示の実施例が提供するランダムアクセス方法のフローチャートのその２である。図４に示されるように、本実施例におけるランダムアクセス方法において、以下のステップが含まれてもよい。
【０１０１】
ステップ４０１、二段階ランダムアクセスプロセスにおいて、前記二段階ランダムアクセスプロセスにおける第３のデータコンテンツを生成するとともに、前記第３のデータコンテンツをキャッシュすること。
【０１０２】
本実施例では、上記二段階ランダムアクセスプロセスは、Ｎ回目のランダムアクセスプロセスの試行であってもよく、正の整数である。Ｎが１であると、上記二段階ランダムアクセスプロセスは初回のランダムアクセスプロセスの試行である。
【０１０３】
具体的な実現方式として、ＵＥは、第３のデータコンテンツを二段階ランダムアクセスプロセスに対応するキャッシュ位置、例えば、Ｍｓｇ３  Ｂｕｆｆｅｒ又はＲＡＣＨ  Ｂｕｆｆｅｒに記憶することが挙げられる。
【０１０４】
そうすると、上記二段階ランダムアクセスプロセスが失敗し、端末はＮ＋１回目のランダムアクセスプロセスを新たに開始するとき、端末は、キャッシュされた第３のデータコンテンツに含まれたデータを送信することができる。それにより、データ損失率を低減し、データ伝送の確実性を向上させることができる。
【０１０５】
選択的に、前記第３のデータコンテンツをキャッシュする後は、
前記第３のデータコンテンツをＨＡＲＱキャッシュに記憶し、ＨＡＲＱプロセスによって送信すること、又は、前記第３のデータコンテンツに対応するプロトコルレイヤのボトムレイヤによって前記第３のデータコンテンツを送信すること、をさらに含む。
【０１０６】
ただし、ＵＥによって制御される第３のデータコンテンツの送信方式は、図３に対応する方法実施例におけるシーン１でのＵＥによって制御される第２のデータコンテンツの送信方式と同じである。具体的には、図３に対応する方法実施例における関連内容の記述を参照されたい。ここでは説明を省略する。
【０１０７】
説明すべきなのは、本実施例で紹介されている種々の選択可能な実施の形態について、それらは相互に組み合わせて実現されてもよいし、個別に実現されてもよい。本開示の実施例では、それらについて限定されていない。
【０１０８】
理解されやすくするために、以下は、二段階ランダムアクセスプロセスが初回のランダムアクセスプロセスの試行であることを例にして説明する。
【０１０９】
ステップ０：ネットワーク側機器は、ＵＥに対して、二段階ランダムアクセスの配置情報、例えば、Ｍｓｇ１とＭｓｇ２に対応する送信リソース情報を配置すること。
【０１１０】
ステップ１．１：ＵＥは二段階ランダムアクセスプロセスをトリガすること。Ｍｓｇ１は、例えば、ＰＵＳＣＨによってネットワーク側機器に送信される。
【０１１１】
二段階ランダムアクセスプロセスの初回実行時、ＵＥは、二段階ランダムアクセスプロセスに用いられる第３のデータコンテンツ（例えば、ＭＡＣ  ＰＤＵ）を生成するとともに、第３のデータコンテンツを二段階ランダムアクセスプロセスに対応するキャッシュ位置（例えば、ＲＡＣＨ  Ｂｕｆｆｅｒ或ＭｓｇＡ  Ｂｕｆｆｅｒ）に記憶する。
【０１１２】
ステップ１．２：二段階ランダムアクセスプロセスにおけるＭｓｇＡに対するＨＡＲＱプロセスによる送信をサポートできるか否かによって、ＵＥによる処理行為は下記のうちのいずれか１つを含む。
【０１１３】
１）、二段階ランダムアクセスプロセスにおけるＭｓｇＡに対するＨＡＲＱプロセスによる送信をサポートできれば、ＵＥは、ＭｓｇＡデータ送信を行うとき、ターゲットデータコンテンツ（第１のデータコンテンツ又は第２のデータコンテンツ）を取得した後、ターゲットデータコンテンツをＨＡＲＱキャッシュに記憶し、対応したＨＡＲＱプロセスによって送信すること、および、
２）、二段階ランダムアクセスプロセスにおけるＭｓｇＡに対するＨＡＲＱプロセスによる送信をサポートできなければ、ＵＥは、ＭｓｇＡデータ送信を行うとき、ターゲットデータコンテンツを取得した後、ターゲットデータコンテンツを、ターゲットデータコンテンツに対応するプロトコルレイヤのボトムレイヤに送信してデータ送信を行う（例えば、ＵＥのＭＡＣレイヤがＭｓｇＡ  Ｂｕｆｆｅｒから第１のデータコンテンツを取得した後、物理層に送信してデータ送信を行う）こと。
【０１１４】
図５を参照して、図５は、本開示の実施例が提供する端末の構造図のその１である。図５に示されたように、端末５００は、
ｉ回目のランダムアクセスプロセスにおいて、第１のデータコンテンツにおける第１データを送信するための第１の送信モジュール５０１を備え、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である。
【０１１５】
選択的に、前記第１の送信モジュール５０１は、具体的には、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信するために用いられる。
【０１１６】
選択的に、前記第１の送信モジュール５０１は、具体的には、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信するために用いられる。
【０１１７】
選択的に、端末５００は、
前記第１データを含む第２のデータコンテンツを新たに生成した後であって、前記第２のデータコンテンツを送信する前に、前記第２のデータコンテンツをキャッシュするためのキャッシュモジュールをさらに備える。
【０１１８】
選択的に、前記第２のデータコンテンツのキャッシュ位置は、前記第１のデータコンテンツのキャッシュ位置と同じであり、または、異なる。
【０１１９】
選択的に、前記第１の送信モジュール５０１は、具体的には、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成し、前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信するために用いられる。
【０１２０】
説明すべきなのは、本開示の実施例では、図３に対応する方法実施例と図４に対応する方法実施例は個別に実現されてもよいし、組み合わせて実現されてもよい。本開示の実施例では、それについて限定されていない。
【０１２１】
端末５００は、本開示の図３に対応する方法実施例における各プロセスを実現することができ、同一の有益な効果を奏することができる。重複説明を回避するために、ここでは省略する。
【０１２２】
図６を参照して、図６は、本開示の実施例が提供する端末の構造図のその２である。図６に示されたように、端末６００は、
二段階ランダムアクセスプロセスにおいて、前記二段階ランダムアクセスプロセスにおける第３のデータコンテンツを生成するとともに、前記第３のデータコンテンツをキャッシュするキャッシュモジュール６０１を備える。
【０１２３】
選択的に、端末６００は、
前記第３のデータコンテンツをキャッシュした後、前記第３のデータコンテンツをＨＡＲＱキャッシュに記憶し、ＨＡＲＱプロセスによって送信し、又は、前記第３のデータコンテンツに対応するプロトコルレイヤのボトムレイヤによって前記第３のデータコンテンツを送信するための第２の送信モジュールをさらに備える。
【０１２４】
端末６００は、本開示の図４に対応する方法実施例における各プロセスを実現することができ、同一の有益な効果を奏することができる。重複説明を回避するために、ここでは省略する。
【０１２５】
図７を参照して、図７は、本開示の実施例が提供する端末の構造図のその３であり、当該端末が本開示の各実施例を実現する端末であってもよいことを示すハードウェア構造概略図である。図７に示されるように、端末７００は、無線周波数ユニット７０１と、ネットワークモジュール７０２と、音声出力ユニット７０３と、入力ユニット７０４と、センサ７０５と、表示ユニット７０６と、ユーザ入力ユニット７０７と、インターフェースユニット７０８と、メモリ７０９と、プロセッサ７１０と、電源７１１と、などの部材を含むが、それらに限らない。当業者であれば理解できるように、図７に示した端末構造は、端末に対する限定を構成しなく、端末には、図示された部材の数よりも多くまたは少ない部材、又は、いくつかの部材の組み合わせ、又は、異なる部材の配置が含まれてもよい。本開示の実施例では、端末は、携帯電話、タブレットパソコン、ノートパソコン、ＰＤＡ、車載端末、ウェアラブル装置、および、歩数計を含むが、それらに限らない。
【０１２６】
ただし、端末７００は、本開示の図３に対応する方法実施例における各プロセスを実現することができ、同一の有益な効果を奏することができる端末である場合、無線周波数ユニット７０１は、
ｉ回目のランダムアクセスプロセスにおいて、第１のデータコンテンツにおける第１データを送信するために用いられ、前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である。
【０１２７】
選択的に、無線周波数ユニット７０１は、さらに、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信するために用いられる。
【０１２８】
選択的に、無線周波数ユニット７０１は、さらに、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信するために用いられる。
【０１２９】
選択的に、プロセッサ７１０は、
前記第１データを含む第２のデータコンテンツを新たに生成した後であって、前記第２のデータコンテンツを送信する前に、前記第２のデータコンテンツをキャッシュするために用いられる。
【０１３０】
選択的に、前記第２のデータコンテンツのキャッシュ位置は、前記第１のデータコンテンツのキャッシュ位置と同じであり、または、異なる。
【０１３１】
選択的に、無線周波数ユニット７０１は、さらに、
前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信するために用いられる。
【０１３２】
端末７００は、本開示の図４に対応する方法実施例における各プロセスを実現することができ、同一の有益な効果を奏することができる端末である場合、プロセッサ７１０は、
二段階ランダムアクセスプロセスにおいて、前記二段階ランダムアクセスプロセスにおける第３のデータコンテンツを生成するとともに、前記第３のデータコンテンツをキャッシュするために用いられる。
【０１３３】
選択的に、無線周波数ユニット７０１は、
前記第３のデータコンテンツをＨＡＲＱキャッシュに記憶し、ＨＡＲＱプロセスによって送信すること、又は、前記第３のデータコンテンツに対応するプロトコルレイヤのボトムレイヤによって前記第３のデータコンテンツを送信するために用いられる。
【０１３４】
理解すべきなのは、本開示の実施例では、無線周波数ユニット７０１は、情報の送受信または通話中、信号の送受信に用いられてもよい。具体的には、無線周波数ユニット７０１は、基地局からの下りリンクデータを受信してから、プロセッサ７１０による処理のために送信してもよい。また、上りリンクデータを基地局に送信してもよい。一般的には、無線周波数ユニット７０１は、アンテナ、少なくとも１つの増幅器、送受信機、カプラ、低騒音増幅器、デュプレクサなどを含むが、それらに限らない。また、無線周波数ユニット７０１は、さらに、無線通信システムやネットワークによって、他の機器との通信を行ってもよい。
【０１３５】
端末は、ネットワークモジュール７０２によって、無線バンドインターネットアクセスをユーザに提供し、例えば、ユーザのために、電子メールの送受信や、ウェブページの閲覧やストリーミングメディアへのアクセスなどを実現させる。
【０１３６】
音声出力ユニット７０３は、無線周波数ユニット７０１又はネットワークモジュール７０２により受信された、又は、メモリ７０９に記憶された音声データを音声信号に変換して音響として出力することができる。しかも、音声出力ユニット７０３は、さらに、端末７００によって実行される特定の機能に関する音声（例えば、呼び信号受信音、メッセージ着信音など）の出力を提供することができる。音声出力ユニット７０３は、スピーカー、ブザー、および、受話器などを含む。
【０１３７】
入力ユニット７０４は、音声または映像信号を受信するために用いられる。入力ユニット７０４は、グラフィックスプロセッサ（Ｇｒａｐｈｉｃｓ  Ｐｒｏｃｅｓｓｉｎｇ  Ｕｎｉｔ、ＧＰＵ）７０４１とマイクロホン７０４２を含んでもよく、グラフィックスプロセッサ７０４１は、映像取得モードまたは画像取得モードにおいて、画像取得装置（例えば、カメラ）によって得られた静止画像又は映像の画像データを処理する。処理後の画像フレームは、表示ユニット７０６に表示されてもよい。グラフィックスプロセッサ７０４１によって処理された画像フレームは、メモリ７０９（又は他の記憶媒体）に記憶されてもよく、又は、無線周波数ユニット７０１又はネットワークモジュール７０２によって送信されてもよい。マイクロホン７０４２は、音響を受信するとともに、そのような音響を音声データとして処理することができる。処理後の音声データは、電話の通話モードにおいて、無線周波数ユニット７０１によって移動通信基地局へ送信されることが可能な形式の出力として変換されてもよい。
【０１３８】
端末７００は、さらに、少なくとも１つのセンサ７０５、例えば、光センサ、運動センサ、又は、他のセンサを含んでもよい。具体的には、光センサは、環境光センサと接近センサを含み、ただし、環境光センサは環境光の明暗に応じて表示パネル７０６１の輝度を調整することができ、接近センサは端末７００が耳元に移動したとき、表示パネル７０６１及び／又はバックライトをオフにすることができる。運動センサの１種として、加速度計センサは、各方向（通常、３軸）での加速度の大きさを検出することができ、静止の場合、重力の大きさ及び方向を検出することができ、端末の姿勢（例えば、縦横画面切り替え、関連ゲーム、磁力計姿勢校正）への識別、関連機能への振動識別（例えば、歩数計、タップ）などのために用いられてもよい。センサ７０５は、さらに、指紋センサ、圧力センサ、虹彩センサ、分子センサ、ジャイロ、気圧計、湿度計、温度計、赤外線センサなどを含んでもよいが、ここでは例を省略する。
【０１３９】
表示ユニット７０６は、ユーザによって入力された情報またはユーザへ提供される情報を表示するために用いられる。表示ユニット７０６は、表示パネル７０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で、表示パネル７０６１を配置してもよい。
【０１４０】
ユーザ入力ユニット７０７は、入力された数字または文字情報を受信し、端末でのユーザの設置や機能制御に関するキー信号入力を発生するために用いられてもよい。具体的には、ユーザ入力ユニット７０７は、タッチパネル７０７１及び他の入力機器７０７２を含む。タッチパネル７０７１は、タッチスクリーンとも呼ばれ、その上又はその近傍でのユーザによるタッチ操作（例えば、ユーザが指、タッチペンなどの任意の適切な物体又はアタッチメントを用いて、タッチパネル７０７１の上またはタッチパネル７０７１の近傍で行う操作）を収集することができる。タッチパネル７０７１は、タッチ検出装置とタッチコントローラの２部分を含んでもよい。そのうち、タッチ検出装置は、ユーザによるタッチの方向を検出するとともに、タッチ操作による信号を検出し、信号をタッチコントローラに伝送する。タッチコントローラは、タッチ検出装置からタッチ情報を受信して、タッチポイント座標に変換してから、プロセッサ７１０に送信し、また、プロセッサ７１０から送信されたコマンドを受信して実行する。また、タッチパネル７０７１は、抵抗式、静電容量式、赤外線及び表面音声波などの種々のタイプのものとして実現されてもよい。タッチパネル７０７１以外、ユーザ入力ユニット７０７は、他の入力機器７０７２をさらに含んでもよい。具体的には、他の入力機器７０７２は、物理的キーボード、機能キー（例えば、音量制御キー、スイッチキーなど）、トラックボール、マウス、操作レバーを含んでもよいが、それらに限らない。ここでは例を省略する。
【０１４１】
さらに、タッチパネル７０７１は、表示パネル７０６１に覆われてもよい。タッチパネル７０７１は、その上または近傍でのタッチ操作を検出した場合、プロセッサ７１０に送信してタッチイベントのタイプを特定し、その後、プロセッサ７１０は、タッチイベントのタイプに応じて相応な視覚出力を表示パネル７０６１に提供する。図７では、タッチパネル７０７１と表示パネル７０６１は２つの独立した部材として、端末の入力と出力機能を実現するために用いられることが示されるが、しかし、いくつかの実施例では、タッチパネル７０７１と表示パネル７０６１を集積して端末の入力・出力機能を実現させてもよい。具体的には、ここでは限定しない。
【０１４２】
インターフェースユニット７０８は、外部装置と端末７００との接続のためのインターフェースである。例えば、外部装置は、有線または無線頭部装着型ヘッドフォンポート、外部電源（またはバッテリ充電器）ポート、有線または無線データポート、メモリカードポート、識別モジュールを有する装置への接続用のポート、音声入力／出力（Ｉ／Ｏ）ポート、映像Ｉ／Ｏ  ポート、ヘッドフォンポートなどを含んでもよい。インターフェースユニット７０８は、外部装置からの入力（例えば、データ情報、電力など）を受信するとともに、受信した入力を端末７００内の１つまたは複数の素子に伝送し、または、端末７００と外部装置の間にデータを伝送するために用いられてもよい。
【０１４３】
メモリ７０９は、ソフトウェアプログラム及び種々のデータを記憶するために用いられてもよい。メモリ７０９は、主に、操作システム、少なくとも１つの機能に必要なアプリケーションプログラム（例えば、音響放送機能、画像放送機能など）などを記憶できるプログラム記憶エリアと、携帯電話の利用によって作成したデータ（例えば、音声データ、電話帳など）などを記憶できるデータ記憶エリアを含んでもよい。また、メモリ７０９は、高速ランダムアクセスメモリを含んでもよく、例えば、少なくとも１つのディスクメモリ、フラッシュメモリ、又は、他の揮発性固体記憶デバイスのような不揮発性メモリをさらに含んでもよい。
【０１４４】
プロセッサ７１０は、端末の制御センターであり、種々のインターフェースや回路によって端末全体の各部分に接続され、メモリ７０９内に記憶されたソフトウェアプログラム及び／又はモジュールを運行または実行させること、および、メモリ７０９内に記憶されたデータを呼び出すことにより、端末の種々の機能を実行し、データを処理することで、端末全体をモニタする。プロセッサ７１０は、１つまたは複数の処理ユニットを含んでもよい。選択的に、プロセッサ７１０は、アプリケーションプロセッサと変復調プロセッサとを集積したものであってもよい。アプリケーションプロセッサは主に操作システム、ユーザインターフェース、および、アプリケーションプログラムなどを処理するためのものであり、変復調プロセッサは主に無線通信を処理するためのものである。理解すべきなのは、上記変復調プロセッサは、プロセッサ７１０に集積されなくてもよい。
【０１４５】
端末７００は、各部材に対して電力を供給する電源７１１（たとえば、バッテリ）をさらに含んでもよい。選択的に、電源７１１は、電源管理システムによってプロセッサ７１０にロジック的に接続されてもよい。それにより、電源管理システムによって、充放電の管理や電力消耗管理などの機能を実現させることができる。
【０１４６】
また、端末７００は、図示されない幾つかの機能モジュールを含んでもよいが、ここでは例を省略する。
【０１４７】
選択的に、本開示の実施例は、プロセッサ７１０と、メモリ７０９と、メモリ７０９に記憶されているとともに、前記プロセッサ７１０にて運行できるコンピュータプログラムを含み、当該コンピュータプログラムがプロセッサ７１０によって実行されると、上記ランダムアクセス方法についての実施例における各プロセスが実現され、かつ、同様な技術的効果が実現される、端末をさらに提供する。説明の重複を回避するために、ここでは説明を省略する。
【０１４８】
本開示の実施例は、コンピュータプログラムが記憶されており、当該コンピュータプログラムがプロセッサによって実行されると、上記ランダムアクセス方法についての実施例における各プロセスが実現され、かつ、同様な技術的効果が実現される、コンピュータ可読記憶媒体をさらに提供する。説明の重複を回避するために、ここでは説明を省略する。ただし、上記コンピュータ可読記憶媒体は、例えば、リードオンリーメモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスクまたは光ディスクなどであってもよい。
【０１４９】
ここで説明すべきなのは、本明細書では、「含む」、「包含」という用語又は他の変形は、非排除性の「含む」を意図的にカバーするものであり、それにより、一連の要素を含むプロセス、方法、物品または装置はそれらの要素を含むだけではなく、明確に挙げられていない他の要素、又は、そのようなプロセス、方法、物品または装置の固有の要素も含む。あまり多くの制限がない場合、「１つの……を含む」という文章で限定された要素について、当該要素を含むプロセス、方法、物品または装置には、他の同様の要素がさらに存在することが排除できない。
【０１５０】
上記実施の形態の記載により、当業者は、上記実施例の方法がソフトウェアと必要な汎用ハードウェアのプラットフォームの方式によって実現されてもよいことを明確に知っているはずである。勿論、ハードウェアによっても実現されるが、しかし、多くの場合、前者が好適な実施の形態である。そのような理解を踏まえて、本開示の技術案は、実質上、又は、従来技術に対して貢献した部分が、ソフトウェア製品の形式によって表されてもよい。当該コンピュータソフトウェア製品は一記憶媒体（例えば、ＲＯＭ／ＲＡＭ、磁気ディスク、光ディスク）に記憶され、若干のコマンドを含み、本開示の各実施例に記載の方法を一端末機器（携帯電話、コンピュータ、サーバ、空気調和器、又は、ネットワーク機器などであってもよい）に実行させる。
【０１５１】
以上は、添付図面を参考しながら、本開示の実施例を記述していたが、しかし、本開示は、上記具体的な実施の形態に限らず、上記具体的な実施の形態は例示的なものに過ぎず、制限性のあるものではない。当業者は、本開示による示唆を基にして、本開示の趣旨や請求項が保護を求める範囲から逸脱しない限り、多くの形式上の変更を行うことができ、それらのいずれも本開示の請求範囲に入っている。
【図１】
2022500929.tif 000003
【図２】
2022500929.tif 000004
【図３】
2022500929.tif 000005
【図４】
2022500929.tif 000006
【図５】
2022500929.tif 000007
【図６】
2022500929.tif 000008
【図７】
2022500929.tif 000009
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
端末に用いられるランダムアクセス方法であって、
ｉ回目のランダムアクセスプロセスにおいて、第１のデータコンテンツにおける第１データを送信することを含み、
前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である、ことを特徴とするランダムアクセス方法。
【請求項２】
前記第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信することを含む、ことを特徴とする請求項１に記載の方法。
【請求項３】
前記第１のデータコンテンツにおける第１データを送信することは、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを生成するとともに、前記第２のデータコンテンツを送信することを含む、ことを特徴とする請求項１に記載の方法。
【請求項４】
前記第１データを含む第２のデータコンテンツを新たに生成した後であって、前記前記第２のデータコンテンツを送信する前に、
前記第２のデータコンテンツをキャッシュすることをさらに含む、ことを特徴とする請求項３に記載の方法。
【請求項５】
前記第２のデータコンテンツのキャッシュ位置は、前記第１のデータコンテンツのキャッシュ位置と同じであり、または、異なる、ことを特徴とする請求項４に記載の方法。
【請求項６】
前記第２のデータコンテンツを送信することは、
前記第２のデータコンテンツをＨＡＲＱキャッシュに記憶し、ＨＡＲＱプロセスによって送信すること、又は、物理層によって前記第２のデータコンテンツを送信すること、を含むことを特徴とする請求項３〜５のいずれか１項に記載の方法。
【請求項７】
ｉ回目のランダムアクセスプロセスにおいて、第１のデータコンテンツにおける第１データを送信するための第１の送信モジュールを備え、
前記第１のデータコンテンツは、ｉ−１回目のランダムアクセスプロセスでキャッシュされたデータコンテンツであり、前記ｉ回目のランダムアクセスプロセスと前記ｉ−１回目のランダムアクセスプロセスのうちの少なくとも１つは二段階ランダムアクセスプロセスであり、前記ｉが１よりも大きい整数である、ことを特徴とする端末。
【請求項８】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズと同じである場合、前記ｉ−１回目のランダムアクセスプロセスで前記第１のデータコンテンツがキャッシュされたキャッシュ位置から、前記第１のデータコンテンツを取り出して送信するために用いられる、ことを特徴とする請求項７に記載の端末。
【請求項９】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成するとともに、前記第２のデータコンテンツを送信するために用いられる、ことを特徴とする請求項７に記載の端末。
【請求項１０】
前記第１データを含む第２のデータコンテンツを新たに生成した後であって、前記前記第２のデータコンテンツを送信する前に、
前記第２のデータコンテンツをキャッシュするためのキャッシュモジュールをさらに備える、ことを特徴とする請求項９に記載の端末。
【請求項１１】
前記第２のデータコンテンツのキャッシュ位置は、前記第１のデータコンテンツのキャッシュ位置と同じであり、または、異なる、ことを特徴とする請求項１０に記載の端末。
【請求項１２】
前記第１の送信モジュールは、具体的に、
前記ｉ回目のランダムアクセスプロセスにおける送信データパケットのサイズが前記ｉ−１回目のランダムアクセスプロセスにおける送信データパケットのサイズとは異なる場合、前記第１データを含む第２のデータコンテンツを新たに生成し、前記第２のデータコンテンツをＨＡＲＱキャッシュに記憶し、ＨＡＲＱプロセスによって送信すること、又は、前記第２のデータコンテンツに対応するプロトコルレイヤのボトムレイヤによって前記第２のデータコンテンツを送信するために用いられる、ことを特徴とする請求項９〜１１のいずれか１項に記載の端末。
【請求項１３】
コンピュータプログラムが記憶されており、前記コンピュータプログラムがプロセッサによって実行されると、請求項１〜６のいずれか１項に記載のランダムアクセス方法のステップを実現させる、ことを特徴とするコンピュータ可読記憶媒体。
【手続補正２】
【補正対象書類名】明細書
【補正対象項目名】００１５
【補正方法】変更
【補正の内容】
【００１５】
以下は、本願開示の実施例における添付図面を結び付けながら、本開示の実施例の技術案を明確に説明する。明らかに、記載された実施例は本開示の一部の実施例であり、全部の実施例ではない。本開示の実施例を基に、当業者は、創造的な労力を払わないことを前提として、得られる全ての他の実施例はいずれも、本開示の保護範囲に属する。
【手続補正３】
【補正対象書類名】明細書
【補正対象項目名】００１９
【補正方法】変更
【補正の内容】
【００１９】
ネットワーク側機器１２は、基地局、中継局、又は、アクセスポイントなどであってもよい。基地局は、５Ｇ及びその後続のバージョンの基地局（例えば、５Ｇ  ＮＲ  ＮＢ）であってもよく、又は、他の通信システムにおける基地局（例えば、ｅＮＢ（進化型基地局））であってもよい。ここに説明すべきなのは、本開示の実施例では、ネットワーク側機器１２の具体的なタイプについて限定されていない。
【手続補正４】
【補正対象書類名】明細書
【補正対象項目名】００２６
【補正方法】変更
【補正の内容】
【００２６】
ＵＥは、ランダムアクセスプロセスを開始（又は新たに開始）するたびに、各ランダムアクセスプロセスにおけるＭｓｇ１リソースの対応する下りリンク信号品質（例えば、ＳＳＢ（Ｓｙｎｃｈｒｏｎｉｚａｔｉｏｎ  Ｓｉｇｎａｌ  Ｂｌｏｃｋ、同期信号ブロック）のＲＳＲＰ（Ｒｅｆｅｒｅｎｃｅ  Ｓｉｇｎａｌ  Ｒｅｃｅｉｖｅｄ  Ｐｏｗｅｒ、基準シンボル受信強度））に基づいて、ランダムアクセスリソースの選択を行い、それにより、ランダムアクセスの成功率が向上した。そのため、ＵＥは、ランダムアクセスプロセスを開始（又は新たに開始）するたびに、「競合に基づくランダムアクセスプロセス」または「非競合に基づくランダムアクセスプロセス」を選択する可能性がある。一方、ＵＥは、ｉ回目のランダムアクセスプロセスを新たに開始するとき、ｉ回目のランダムアクセスプロセスとｉ−１回目のランダムアクセスプロセスのタイプが同じであってもよく、変化してもよい。ただし、ｉが１よりも大きい整数である。
【手続補正５】
【補正対象書類名】明細書
【補正対象項目名】００６９
【補正方法】変更
【補正の内容】
【００６９】
前記ｉ回目のランダムアクセスプロセスに用いられるＴＢＳが前記ｉ−１回目のランダムアクセスプロセスに用いられるＴＢＳと同じである場合、前記ｉ−１回目のランダムアクセスプロセスで前記第１のデータコンテンツがキャッシュされたキャッシュ位置から、前記第１のデータコンテンツを取り出して送信する。
【手続補正６】
【補正対象書類名】明細書
【補正対象項目名】００７２
【補正方法】変更
【補正の内容】
【００７２】
また、シーン２におけるＵＥによる第１のデータコンテンツの送信方式は、シーン１におけるＵＥによる第２のデータコンテンツの送信方式と同じである。具体的には、シーン１における関連内容の記述を参照されたい。ここでは説明を省略する。
【手続補正７】
【補正対象書類名】明細書
【補正対象項目名】００７６
【補正方法】変更
【補正の内容】
【００７６】
ステップ０：ＵＥによるｉ−１回目のランダムアクセスプロセスの試行が失敗した場合、ＵＥは、ランダムアクセスプロセスの最大試行回数に達する前に、ランダムアクセスプロセスの試行を再び行い、すなわち、ｉ回目のランダムアクセスプロセスの試行を行うこと。
【手続補正８】
【補正対象書類名】明細書
【補正対象項目名】０１２５
【補正方法】変更
【補正の内容】
【０１２５】
図７を参照して、図７は、本開示の実施例が提供する端末の構造図のその３であり、当該端末が本開示の各実施例を実現する端末であってもよい。図７に示されるように、端末７００は、無線周波数ユニット７０１と、ネットワークモジュール７０２と、音声出力ユニット７０３と、入力ユニット７０４と、センサ７０５と、表示ユニット７０６と、ユーザ入力ユニット７０７と、インターフェースユニット７０８と、メモリ７０９と、プロセッサ７１０と、電源７１１と、などの部材を含むが、それらに限らない。当業者であれば理解できるように、図７に示した端末構造は、端末に対する限定を構成しなく、端末には、図示された部材の数よりも多くまたは少ない部材、又は、いくつかの部材の組み合わせ、又は、異なる部材の配置が含まれてもよい。本開示の実施例では、端末は、携帯電話、タブレットパソコン、ノートパソコン、ＰＤＡ、車載端末、ウェアラブル装置、および、歩数計を含むが、それらに限らない。
【国際調査報告】
2022500929.tif 000010
2022500929.tif 000011
2022500929.tif 000012
2022500929.tif 000013